(57)【要約】      （修正有）【課題】伐採した放置竹林の竹筒を甘草の栽培容器カプセルとして使用する栽培方法を提供する。【解決手段】伐採直後の竹筒が地上に林立したまま甘草２１の栽培容器として使用し、培土２０等を充填して甘草２１を栽培する。伐採した切竹筒も同様に株竹筒１９と混合並立して使用し、管理圃場で量産栽培する。放置竹林を死滅させる場合には１年以上株竹筒１９カプセルで管理圃場で栽培する。【選択図】図１
2016010366.tif 000002
【特許請求の範囲】
【請求項１】
放置竹林の伐採方法は、伐採区域の竹を総て竹背凡そ１ｍに伐採して、筍も生えず、地下茎も腐蝕して根絶する形態に従い伐採し、切断した竹筒の上端部内径６ｃｍ以上の株竹筒は地上に生えたままで竹筒カプセルとして使用するため、地表に近い節を底節とし、該底節より上部の節を総てすべて取り去って、該底節より３ｃｍ〜１０ｃｍ上部に側面から５ｍｍ〜１０ｍｍの穴を３〜６個穿孔して排水口を設け、該底節上に金属、陶磁器またはプラスティック製の受皿をのせて、該受皿上面から排水口の位置より上まで３〜１０ｍｍ大の底石を投入し、該竹筒内の底石上にピートモス、日向土、赤玉土、腐葉土、発酵竹チップ、醗酵油かす、発酵鶏糞、ポーラス炭などを配合した培土を充填した上に甘草苗を植付けて、上端部より溢れるまで注水し該竹筒カプセル内は水が充満し、受け皿から排水口までの竹筒カプセル内では底石間の空隙が水溜りとなり、甘草は生育環境ができるが、８月９月の渇水期には潅水を要し４月から１０月までは根茎は太り枝葉は繁茂して成長するが、寒期の１１月から３月は休眠期となり落葉する生態を特徴として繰り返して年々成長して、日本薬局方基準の甘草薬用成分グリチルリチン酸含有量２．５％以上が生成されるまで凡そ３年から５年間に及ぶが、収穫は該竹筒カプセルを底節の下部で切断し、割って甘草の根茎を採取する栽培方法。
【請求項２】
伐採した竹筒及び傾斜地など栽培しにくい場所または整備して竹林を保持する場合には竹の株竹筒を地表に近い節の下で切断し、また伐採した切竹筒の中から末口内径６ｃｍ以上の竹を長さ凡そ１ｍで切断し、共に切竹筒カプセルとして、請求項１に記載の竹筒栽培カプセルと同様に排水口の穿孔加工し、受け皿上に底石と培土を充填した上に甘草苗の植付けを行い、伐採した竹林内の平地に作業用の通路を配置して、伐採して林立する小径竹などを支柱として利用して竹筒カプセル１０本以上を２列または円形に並立し、該竹筒カプセル相互の空隙及び該竹筒カプセル列を囲む両サイドには巾１０ｃｍ以上深さ１０ｃｍ以上の盛土培土の畝を作り、当該盛土培土は竹林中の土砂にピートモス、腐葉土、発酵竹チップ、醗酵油粕、発酵鶏糞、ポーラス炭を元肥として配合し、加えて病虫害対策を行い、潅水装置を設けて管理圃場としての機能を備え、生育した甘草の細根や分岐根が排水口より当該盛土培土中に伸出して、水分や肥料分を吸収して光合成を行い、主根を成熟させて、甘草の必要成分グリチルリチン酸含有量２．５％以上が生成できるまでの期間凡そ３〜５年間栽培するが、収穫時には該竹筒カプセルは容易に取出すことができ、竹筒を割って甘草の根茎を採取する栽培方法。
【請求項３】
傾斜地や過度の蜜集地及びまとまっていない放置竹林を根絶して甘草栽培地に変換するには、竹背１ｍで全て伐採し、伐採した株竹筒の中から内径６ｃｍ以上の竹筒カプセルの条件を満たすものを請求項１に記載の竹筒カプセルと同様に排水口の穿孔加工、受け皿、底石と培土を充填した上に甘草苗の植付けを行い、注水して甘草の生育環境をつくって、１年以上生えたままの株竹筒カプセルとして栽培を続けて、筍が生えないことを確認してから、株竹筒カプセルを底節の下部で切断し、管理圃場に移植し、請求項２の栽培方法と同じ方法で既存の竹筒カプセル列と同様に並立して、盛土培土の畝を作って栽培し、収穫する栽培方法。
【発明の詳細な説明】
【技術分野】
【０００１】
本発明は、放置竹林の伐採切竹株を地上より凡そ高１ｍとして、生えたままの切株竹筒（以後「株竹筒」という）による甘草栽培容器カプセルとする方法、及び切取った竹筒もほぼ１ｍに切断（以後「切竹筒」という）して甘草の栽培容器カプセル（以後「竹筒カプセル」という）として使用し、株竹筒と切竹筒を混合並立して栽培する管理圃場をつくる方法に関する。
【背景技術】
【０００２】
甘草栽培では、梅雨期など降水量の多いわが国の気候条件により根が細根化して、主根に生成される日本薬局方の甘草薬用成分グリチルリチン酸含有量２．５％以上の成長に６年以上を要して国産には不向きであった。近年、早期栽培方法が開発されているが、中でも甘草栽培に適した方法として筒栽培が注目されている。この方法は主根の発育が分岐細根とならずに生育することから栽培期間が短縮され、また収穫時には容易に根茎が採取できる利点がある。しかし筒栽培には塩ビパイプを利用し、パイプのコストや後処理、圃場管理が４年〜５年わたり、新規に大規模な圃場造りが必要である。
甘草は従来、中国の黄土高原や砂漠地帯に自生しているものを採取してきたが、地中深さ２ｍ以上にも及ぶ根茎を採取するため、大量の土砂を掘返して、砂漠化に拍車をかけていて、自然破壊を進行させるものとして近年中国政府は採取を禁止した。
一方、我が国では耕作放棄地や過疎化の進行に比例して放置竹林が急速に増加して、愛知県知多半島の里山の航空写真では１９９８年には３５町歩の竹林が１５年間に３０５町歩、約９倍の面積を侵蝕している実例がある。竹林伐採は間伐材より効率が悪く、伐採しても高額となった竹原料は使用用途が限られている。更に伐採した竹林は即利用しなければ雑草、雑木林となって更なる難題を抱えることになる。
【先行技術文献】
【特許文献】
【０００３】
【特許文献１】特開０１０−２９１８１（P ２００９−１５０６４）
【特許文献２】特願平３―１７０２１７
【発明の概要】
【発明が解決しようとする課題】
【０００４】
放置竹林は里山の生態系を変貌させて、環境破壊が進行しているが、整備伐採するには多額の費用を要して高額になる竹原料の用途は狭く、更に里山周辺の労働力の確保は難しく、事業化は困難な現状にある。
【０００５】
一方、甘草は中国の黄土高原や砂漠地帯に自生したものを採取してきたが採取には２ｍ以上の深さまで掘返し自然破壊、砂漠化を進行させるものとして中国政府は近年採取禁止したことから甘草価格は高騰した。
本発明はこの２つの自然破壊より発生した問題の解決策として、放置竹林の整備伐採と甘草栽培を同時的に解決する道を拓くことを課題とするものである。
【課題を解決するための手段】
【０００６】
本発明では次の「１」〜「７」の手段によって甘草の量的栽培の道を開き、放置竹林を有する里山を甘草の生産地への転換を図るものとする。
「１」  竹林の伐採法
竹は筍を掘るなど、根元から切断すると翌年には筍が生えて再生するが、広範囲の竹を総て竹背凡そ１ｍに伐採すると周辺に筍は生えず、伐採した切口からの雨水や風塵による腐蝕作用で４年〜５年間で地下茎も腐朽して根絶するので、この形態に従い伐採する。
「２」竹筒カプセル
生えたままの株竹筒も伐採した切竹筒も竹筒カプセルとして、共に内径６ｃｍ以上を選び、株竹筒は地面近くの節を底節とし、底節より上の中間節を総て切除し、切竹筒も長さ凡そ１ｍに切断し、底節を残して中間節を総て切除する。
竹筒カプセルは総て底節より３〜５ｃｍ上に直径５〜１２ｍｍの貫通口を３〜６ヵ所穿孔して排水口をつくる。
「３」排水口と水溜り
竹筒カプセル内に排水口の高さより上まで底石として軽石、パーライト、砂利などを充填し、上端部よりの注水により底節から排水口までの底石間は水溜りとなる。
「４」培土と甘草苗の植付け
竹筒カプセル内の底石の上に、上端部より５〜１０ｃｍ下まで培土を充填し、
その上に甘草苗を植付ける。培土は赤玉土または日向土を主用土として腐葉土、
ピートモス、醗酵種粕、竹堆肥、水苔、骨粉、発酵鶏糞、ポーラス炭など有機肥
料を配合する。
「５」甘草の成長と薬用主成分グリチルリチン酸
竹筒カプセルは４月〜１０月の高温多雨の季節には幹根とも成長するが、上端
部以外からの雨水は入らないので、根は数本に分岐するも細根とならず水を求め
て底石内へと伸びる。主根は1年間に凡そ５０〜８０ｃｍ成長するので、２年経
過後の秋には底石内まで伸長して、底石内では毛細根が発達し、主根は数本に分
岐するも太く成長する。
底石内では根は分岐して毛細根と共に排水口より竹筒カプセルの外へ伸出する。
甘草の主要な薬用成分であるグリチルリチン酸は太くなった主根と分岐根に蓄積される。日本薬局方では２．５％以上含有するものを薬用とされるので、それまでの期間凡そ４〜５年間「竹筒カプセル」内で栽培する。
「６」管理圃場
竹筒カプセルは１０本以上を２列にして、小径竹などを支柱にして並立して管
理圃場を造る。
孟宗竹の竹林では竹筒カプセルにできる株竹筒は１ｍ２あたり平均１本生えているが、平地は竹林全体の三分の一程度と想定される。伐採後の切株間には１ｍ２当り２０〜３０本の栽培竹筒カプセルを並立する余地があり、平地竹林１０ａで凡そ１万本の栽培がでる。
「７」管理圃場の栽培と盛土
管理圃場では並立した竹筒カプセル並立列の周囲両サイドに巾１０ｃｍ以上深さ１０ｃｍ以上の盛土培土の畝を作る。盛土培土は伐採竹林内の土石とピートモス、発酵鶏糞、腐葉土、醗酵油かす、竹チップを配合する。
管理圃場では竹筒カプセルの排水口より外に延びでた細根や分岐根は盛土培土の畝内に伸出して竹筒カプセ内外の肥料分と潅水及び光合成により発育し、病虫害対策を講じた栽培を行う。
上記「１」〜「７」を手段として放置竹林を甘草の栽培地に転換を行う。
【発明の効果】
【０００７】
従前、耕作地であった里山の狭小傾斜地は段々田畑となっていたが、里山の過疎化に比例して耕作放棄地となり、やがて竹が侵蝕して放置竹林となって生態系が壊された場合が多いが、本発明によりこの里山を蘇らせることができる。
過疎化した里山では放置竹林を伐採整備する労働力が確保できないが、当該栽培竹筒カプセルによる栽培を実施すれば、竹林伐採から甘草の収穫までの一貫作業が継続することができるので、栽培者を養成して定住人口を増して、過疎地を蘇らせることができる。
本発明は大規模な設備投資をすることなく、順次に栽培面積を拡大できるし、モデル地域は他の地域でも同様栽培ができる。放置竹林は数町歩に及ぶことが多く、該当する地方自治体では既に実態調査されている場合が多く、地権者の状況も掌握されていて、伐採整備とその後の小作料、使用料も調整されるので、安定した経営が出来ると思われる。伐採竹林が１ｍ高に伐採され、枝葉のない竹林となれば、日照によって雑草雑木が瞬く間に覆い茂り、竹林整備のつもりが次の雑木林へと変わる悪循環も本発明で解決することができる。
【図面の簡単な説明】
【０００８】
【図１】本発明に係る株竹筒を加工して甘草苗を植付けた竹筒カプセルの形態例を示す斜視図である。
【図２】本発明に係る切竹筒の中間節を除去し排水口を穿孔した使用前の竹筒カプセル断面図である。
【図３】本発明に係る株竹筒の中間節を除去し排水口を穿孔した使用前の竹筒カプセル断面図であり、地下茎とつながり生きている。
【図４】本発明に係る成長した甘草の竹筒カプセル底部の詳細断面図である。  底節の上にプラスティック、陶器または金属の皿を載せて、その上に底石を投入した断面図である。
【図５】本発明に係る株竹筒カプセル内で１年以上栽培し、新筍が生えないことを確認後、底節の下部で切断移植する竹筒カプセルの形態例斜視図である。排水口から細根や分岐根を出している。
【図６】放置竹林を竹背凡そ１ｍに総て切断した竹林イメージ図である。１年以上放置すれば雑草雑木林に変貌する。
【図７】平地の株竹筒と切竹筒を同列に混合して並立させた竹筒カプセルが支柱で支えられ並立した甘草植付前の管理圃場のイメージ図である。
【図８】本発明に係る並立した竹筒カプセル間に盛土培土をいれて畝を作り成長した甘草が排水口から盛土培土内に細根や分岐根を伸ばしたイメージ斜視図である。
【図９】本発明に係る「竹筒カプセル」の平面図である。
【図１０】本発明に係る「竹筒カプセル」の側面図である。
【発明を実施するための形態】
【０００９】
.
本発明に係る放置竹林の伐採により株竹筒及び切竹筒を竹筒カプセルとして甘草栽培に利用する実施例を、添付図面図１〜１０に基づいて詳細に説明する。
【００１０】
孟宗竹の放置竹林の伐採地域の竹を総て竹背凡そ１ｍで切り倒す。[図６]
伐採した竹株の内、内径６ｃｍ以上の生えたまま株竹筒図３と、切断した竹の内、内径末口６ｃｍ以上の切竹筒も約１ｍに切断し[図２]竹筒カプセルとして使用する。
【００１１】
竹筒カプセルとする株竹筒、切竹筒とも底節を残し中間節を除去し底節よりほぼ５ｃｍ上の側面から径９ｍｍの排水口を６ヶ所穿孔して排水口を造る。
［図２、図３］
【００１２】
株竹筒は生育してきた地下茎につながり生きたまま凡そ竹背１ｍで地上に立っている。［図１、図３］
【００１３】
管理圃場とする平地では作業用通路を残して、株竹筒を起点として切竹筒と株竹筒の竹筒カプセルは１０本以上の２列の混合列をつくり、列両サイドの間隔は２０ｃｍとして、伐採した小径竹等を支柱として並立させる。外形を１５ｃｍとすれば１ｍ２当り２４本が並立できるので１０ａでは約１万本が栽培できる。［図７］  
【００１４】
底節の上には受皿をのせる。受皿はプラスティック、金属、陶器など腐蝕しない材質である。受皿の上には１ｃｍ〜３ｃｍ大の軽石を底石として排水口より高くまで投入する。甘草苗定植に際して竹筒カプセル内の培土上から給水して上端部及び排水口から余剰水が流出するまで注水して、受皿から底石の空隙には排水口まで水が溜る。[図４]
当該栽培竹筒の給水は上端部から雨水又は潅水によるのみである。
【００１５】
該竹筒内での甘草の主根及び分岐根は光合成と培土や施肥の栄養素及び雨水または潅水により成長するが、底石に至って毛細根は大量に形成する。更に成長すると分岐根の一部や毛細根が排水口より竹筒の外に伸出する。[図４  図５]
1年以上栽培の株竹筒カプセルは底節の下部を切断して移動できる。放置竹林の根絶を目的とした傾斜地や過密地、まばらな生育地では新筍が生えるのを防ぐために、生えたままの株竹筒カプセルでの栽培を１年以上行い、新筍が生えないことを確認後、管理圃場に移植する。[図５]
甘草は寒期１１月から３月までは落葉し、枝も枯れて休眠状態になるこの時期での移植がのぞましい。
３月になると新芽が出て５月以降に繁茂成長する。
【００１６】
竹筒から外に伸出した分岐根は盛土培土の中で栄養分を吸収し、光合成と併せて甘草主根の薬用成分グリチルリチン酸を生成蓄積する。[図８]
【００１７】
収穫は株竹筒カプセルも切竹筒カプセルも掘る作業もなく，竹筒を割って甘草の根莖を採取する。
以上、本発明につき好適な実施例を挙げて種々説明してきたが、本発明はこの栽培例に限定されるものではなく、発明の精神を逸脱しない範囲で多くの改変を施しうるのは勿論である。
【産業上の利用可能性】
【００１８】
本発明によれば、新しい農地を必要とせず、放置竹林の伐採直後から実施可能であり、設備費が少ないことが最大の特徴であり、借地料も小額で、竹筒は無料で広い土地が利用できる。放置竹林は農地や果樹園のみならず他の樹木林をも侵蝕して、里山の生態系を侵蝕しつつあるが、手がつけられなかった問題への道を拓くことができる。  
一方我が国は薬用多年性の甘草栽培は多雨の気候により、時代を遡っても経済性も品質も乏しく輸入に依存してきたが、最大の生産国中国では自生甘草の採取を禁止して以来、国産化が急務である。本発明では多雨な気候から免れているばかりでなく、我が国の過疎化した里山再生の道を開くことができる。
【符号の説明】
【００１９】
１０        切竹筒              
１１        地表
１２        竹の地下茎
１３        上端部
１４        中間節
１５        底節
１６        排水口
１７        受皿
１８        底石
１９        株竹筒
２０        培土
２１        甘草
２２        主根
２３        分岐根
２４        細根
２５        伐採底部
２６        盛土培土の畝
２７        並立した竹筒カプセル
【図１】
2016010366.tif 000003
【図２】
2016010366.tif 000004
【図３】
2016010366.tif 000005
【図４】
2016010366.tif 000006
【図５】
2016010366.tif 000007
【図６】
2016010366.tif 000008
【図７】
2016010366.tif 000009
【図８】
2016010366.tif 000010
【図９】
2016010366.tif 000011
【図１０】
2016010366.tif 000012